(57)【要約】【課題】通常の用紙の重ね合わせの途中に、重ね合わせ不可能な用紙が挿入された場合の生産性の低下を抑止することである。【解決手段】用紙重ね合わせ装置２０は、画像形成装置１０から排出された用紙を所定枚数重ね合わせて搬送し、後処理装置３０に排出する重ね合わせ搬送部２５と、画像形成装置１０から排出された用紙を、重ね合わせ搬送部２５の搬送経路を通らず且つこの搬送経路よりも搬送所要時間が短いバイパスで搬送し、後処理装置３０に排出するバイパス搬送部２４と、画像形成装置１０から重ね合わせ不可能な用紙が排出され、重ね合わせ不可能な用紙の先行用紙が重ね合わせ搬送部２５に滞留されている場合に、当該滞留を維持したまま重ね合わせ不可能な用紙をバイパス搬送部２４に搬送させ、重ね合わせ搬送部２５に、前記先行用紙を含む所定枚数の用紙を重ね合わせて排出させる制御部２１と、を備える。【選択図】図２
2013151344.tif 000002
【特許請求の範囲】
【請求項１】
用紙に画像を形成する画像形成装置から排出された用紙を搬送して所定枚数重ね合わせて、用紙に後処理を施す後処理装置に排出する重ね合わせ搬送部と、
前記画像形成装置から排出された用紙を、前記重ね合わせ搬送部の搬送経路を通らず且つ当該重ね合わせ搬送部の搬送経路よりも搬送所要時間が短いバイパスで搬送して、前記後処理装置に排出するバイパス搬送部と、
前記画像形成装置から前記重ね合わせ搬送部で重ね合わせ不可能な用紙が排出され、当該重ね合わせ不可能な用紙の先行用紙が前記重ね合わせ搬送部に滞留されている場合に、当該滞留を維持したまま前記重ね合わせ不可能な用紙を前記バイパス搬送部に搬送させ、前記重ね合わせ搬送部に、前記先行用紙を含む前記所定枚数の用紙を重ね合わせて排出させる第１の制御部と、を備えることを特徴とする用紙重ね合わせ装置。
【請求項２】
前記重ね合せ不可能な用紙は、連続プリントを行っているジョブとは異なるジョブの出力用紙であることを特徴とする請求項１に記載の用紙重ね合わせ装置。
【請求項３】
前記重ね合せ不可能な用紙は、サンプル出力用紙であることを特徴とする請求項１に記載の用紙重ね合わせ装置。
【請求項４】
前記重ね合せ不可能な用紙は、連続プリント中に割り込みされた印刷ジョブの出力用紙であることを特徴とする請求項１に記載の用紙重ね合わせ装置。
【請求項５】
請求項１から４のいずれか一項に記載の用紙重ね合わせ装置と、
前記画像形成装置と、
前記後処理装置と、を備え、
前記画像形成装置は、
前記重ね合わせ搬送部で重ね合わせ不可能な用紙をプリントする場合に、当該重ね合わせ不可能な用紙の１つ前の先行用紙が前記所定枚数の重ね合わせの最終用紙であるか否かを判定し、前記１つ前の先行用紙が重ね合わせの最終用紙である場合に、当該重ね合わせ不可能な用紙と、当該重ね合わせ不可能な用紙の後続用紙であり且つ前記所定枚数の重ね合わせの最終用紙でない用紙と、のプリント順序を入れ替えて設定する第２の制御部と、を備えることを特徴とする画像形成システム。
【発明の詳細な説明】
【技術分野】
【０００１】
本発明は、用紙重ね合わせ装置及び画像形成システムに関する。
【背景技術】
【０００２】
従来、用紙に画像形成する複写機等の画像形成装置と、画像形成装置により画像形成された用紙を重ね合わせる用紙重ね合わせ装置と、用紙重ね合わせ装置で重ね合わされた用紙に後処理を施す後処理装置と、を備える画像形成システムが知られている（例えば、特許文献１、２、３参照）。
【０００３】
一般的に、画像形成装置の生産性が高く、後処理装置の生産性は低い。生産性とは、単位時間当たりの用紙の排出量とする。特に、画像形成システムの装置を更新する場合に、全ての装置を更新するのは高いコストが必要であるため、画像形成装置のみを高生産性のものに更新すると、画像形成装置の生産性と、後処理装置の生産性と、の差はさらに大きくなる。後処理装置が画像形成装置の用紙の排出速度で処理できない場合に、画像形成装置の生産性を低くして後処理装置に合わせなければならない。
【０００４】
このため、用紙重ね合わせ装置により、画像形成装置で画像形成された用紙を所定枚数重ね合わせて滞留し、滞留した複数枚の用紙束を一度に排出することにより、画像形成装置の生産性を低くすることなく、後処理装置で用紙に後処理を施すことができる。
【先行技術文献】
【特許文献】
【０００５】
【特許文献１】特開２００８−１８７５９２号公報
【特許文献２】特開２００４−２００５号公報
【特許文献３】特開２００９−１３９５００号公報
【発明の概要】
【発明が解決しようとする課題】
【０００６】
しかし、従来の画像形成システムにおいて、用紙重ね合わせ装置は、通常の用紙を重ね合わせの途中、つまり用紙の滞留中に、サンプル出力紙等の重ね合わせ不可能な用紙が画像形成装置から搬送された場合に、滞留中の用紙を排出してから、重ね合わせ不可能な用紙を排出していた。サンプル出力紙とは、通常の画像形成ジョブとは別に、サンプルパターンが画像形成された用紙である。サンプル出力紙は、例えば、画像形成ジョブの用紙の所定枚数毎に挿入されて排出される。
【０００７】
ここで、図１０〜図１４を参照して、従来の画像形成システム２における用紙重ね合わせの動作シーケンスの具体例を説明する。図１０（ａ）は、従来の画像形成システム２の第１の用紙搬送状態を示す図である。図１０（ｂ）は、従来の画像形成システム２の第２の用紙搬送状態を示す図である。図１１（ａ）は、従来の画像形成システム２の第３の用紙搬送状態を示す図である。図１１（ｂ）は、従来の画像形成システム２の第４の用紙搬送状態を示す図である。図１２（ａ）は、従来の画像形成システム２の第５の用紙搬送状態を示す図である。図１２（ｂ）は、従来の画像形成システム２の第６の用紙搬送状態を示す図である。図１３（ａ）は、従来の画像形成システム２の第７の用紙搬送状態を示す図である。図１３（ｂ）は、従来の画像形成システム２の第８の用紙搬送状態を示す図である。図１４は、従来の画像形成装置４０、用紙重ね合わせ装置５０及び後処理装置６０の用紙排出例を示す図である。
【０００８】
図１０（ａ）に示すように、従来の画像形成システム２は、画像形成装置４０と、用紙重ね合わせ装置５０と、後処理装置６０と、を備える。画像形成装置４０は、給紙トレイに格納された用紙を１枚ずつ給紙し、画像形成して用紙重ね合わせ装置５０に排出する装置である。
【０００９】
用紙重ね合わせ装置５０は、画像形成装置４０から排出された用紙を重ね合わせて後処理装置６０に排出する装置である。後処理装置６０は、用紙重ね合わせ装置５０から排出された用紙に後処理を施してメイントレイＴＲ５又はサブトレイＴＲ６に排出する装置である。
【００１０】
また、用紙重ね合わせ装置５０は、用紙の搬送路として、バイパスＴ１１と、重ね合わせパスＴ１２と、を有する。バイパスＴ１１は、重ね合わせを行わずに用紙を排出する搬送路である。重ね合わせパスＴ１２は、重ね合わせを行って用紙を排出する搬送路である。
【００１１】
用紙重ね合わせ装置５０は、切替ゲート５３ａ，５３ｂと、縦整合板５５ｃと、横整合板（図示略）と、を備える。切替ゲート５３ａは、画像形成装置４０から排出された用紙の搬送経路を、バイパスＴ１１側、又は重ね合わせパスＴ１２側に切り替えるゲートである。切替ゲート５３ｂは、画像形成装置４０から重ね合わせパスＴ１２に搬送された用紙の搬送経路路を、縦整合板５５ｃでの受け取り側、又は縦整合板５５ｃに滞留された用紙の後処理装置６０への排出側と、に切り替えるゲートである。縦整合板５５ｃは、用紙を重ね合わせパスＴ１２の搬送方向に用紙を揃える。横整合板は、搬送方向と直交する幅方向に用紙を揃える。
【００１２】
画像形成システム２において、用紙重ね合わせ装置５０の重ね合わせ枚数は、２枚に設定されているものとする。また、用紙６枚を片面画像形成する画像形成ジョブが画像形成装置４０に投入されたケースを説明する。用紙６枚を、給紙順に、用紙Ｐ１，Ｐ２，Ｐ３，Ｐ４，Ｐ５，Ｐ６とする。また、３枚目の用紙Ｐ３と、４枚目の用紙Ｐ４と、の間に、サンプル出力紙ＳＰが挿入されるものとする。また、この画像形成ジョブでは、用紙Ｐ１，Ｐ２，Ｐ３，Ｐ４，Ｐ５，Ｐ６及びサンプル出力紙ＳＰは、後処理が施されず、最終的にメイントレイＴＲ５に排出されるものとする。また、図１０（ａ）〜図１４において、奇数枚目の用紙を実線で表し、偶数枚目の用紙を破線で表し、サンプル出力紙を一点鎖線で表す。
【００１３】
図１０（ａ）に示すように、画像形成装置４０において、画像形成ジョブが投入されると、用紙重ね合わせ装置５０において、切替ゲート５３ａが重ね合わせパスＴ１２側に切り替えられ、切替ゲート５３ｂが受け取り側に切り替えられ、縦整合板５５ｃが、用紙の待機位置に移動される。
【００１４】
画像形成装置４０において、給紙トレイＴＲ４から用紙が順に給紙され、給紙された用紙Ｐ１，Ｐ２，Ｐ３…は、順に搬送経路Ｔ１３を搬送されるとともに、画像形成部及び定着部により画像形成される。このとき、サンプル出力紙ＳＰの給紙タイミングは、他の用紙の給紙タイミングよりも遅らされる。つまり、用紙Ｐ３とサンプル出力紙ＳＰとの搬送間隔は、用紙Ｐ１，Ｐ２の搬送間隔よりも大きくされている。サンプル出力紙ＳＰと用紙Ｐ４との搬送間隔は、用紙Ｐ１，Ｐ２の搬送間隔と同じである。
【００１５】
画像形成装置４０から排出された用紙Ｐ１…は、用紙重ね合わせ装置５０に排出される。用紙重ね合わせ装置５０において、画像形成装置４０から排出された用紙Ｐ１は、切替ゲート５３ａにより、重ね合わせパスＴ１２の受け取り側の搬送経路に搬送される。
【００１６】
そして、図１０（ｂ）に示すように、用紙重ね合わせ装置５０において、縦整合板５５ｃが、用紙Ｐ１を完全に引き込んだら、切替ゲート５３ｂが排出側に切り替えられ、縦整合板５５ｃが上昇される。このため、用紙Ｐ１は、その先端が排出側の搬送経路に挿入された状態で滞留される。
【００１７】
そして、図１１（ａ）に示すように、用紙重ね合わせ装置５０において、切替ゲート５３ｂが受け取り側に切り替えられ、縦整合板５５ｃは、用紙Ｐ２を引き込むと同時に下降される。
【００１８】
そして、図１１（ｂ）に示すように、用紙重ね合わせ装置５０において、縦整合板５５ｃが、用紙Ｐ２を完全に引き込んだら、切替ゲート５３ｂが排出側に切り替えられ、縦整合板５５ｃが、大きく上昇される。このため、用紙Ｐ１，Ｐ２は、重ね合わされた状態にされ、重ね合わせパスＴ１２の排出側の搬送経路に排出される。用紙Ｐ１，Ｐ２は、用紙重ね合わせ装置５０から後処理装置６０に排出される。
【００１９】
そして、図１２（ａ）に示すように、後処理装置６０において、用紙重ね合わせ装置５０から排出された用紙Ｐ１，Ｐ２は、メイントレイＴＲ５への搬送経路Ｔ１４に搬送される。用紙重ね合わせ装置５０において、切替ゲート５３ｂが受け取り側に切り替えられ、縦整合板５５ｃが、用紙の待機位置に下降される。縦整合板５５ｃが用紙Ｐ３を完全に引き込んだら、切替ゲート５３ｂが排出側に切り替えられ、縦整合板５５ｃが大きく上昇される。このため、用紙Ｐ３は、後続紙と重ね合わさずに、重ね合わせパスＴ１２の排出側の搬送経路に排出される。また、切替ゲート５３ａがバイパスＴ１１側に切り替えられる。
【００２０】
そして、図１２（ｂ）に示すように、用紙重ね合わせ装置５０において、サンプル出力紙ＳＰがバイパスＴ１１を搬送され、切替ゲート５３ａが重ね合わせパスＴ１２側に切り替えられる。また、後処理装置６０において、搬送経路Ｔ１４を搬送される用紙Ｐ１，Ｐ２，Ｐ３は、メイントレイＴＲ５へ排出される。
【００２１】
そして、図１３（ａ）に示すように、用紙重ね合わせ装置５０において、切替ゲート５３ｂの切り替え並びに縦整合板５５ｃの下降及び上昇により、用紙Ｐ１，Ｐ２と同様にして、用紙Ｐ４，Ｐ５が重ね合わされて後処理装置６０に排出される。
【００２２】
そして、図１３（ｂ）に示すように、用紙重ね合わせ装置５０において、切替ゲート５３ｂの切り替え並びに縦整合板５５ｃの下降及び上昇により、用紙Ｐ３と同様にして、用紙Ｐ６が重ね合わさずに後処理装置６０に排出される。最終的に、後処理装置６０から排出されたプリント物としての用紙Ｐ１，Ｐ２，Ｐ３、サンプル出力紙ＳＰ、用紙Ｐ４，Ｐ５，Ｐ６は、この順に、メイントレイＴＲ５に排出されて積載される。
【００２３】
図１４では、画像形成装置４０の排出と、用紙重ね合わせ装置５０の搬送と、後処理装置６０への排出と、の用紙及びサンプル出力紙の状態が表されており、図上で左から右に時系列に並べられている。図１４に示すように、サンプル出力紙ＳＰの先行紙である用紙Ｐ３は、用紙重ね合わせ装置５０において２枚の重ね合わせができないため、１枚で排出される。また、重ね合わせパスＴ１２とバイパスＴ１１とでは、バイパスＴ１１の搬送所要時間が短いため、サンプル出力紙ＳＰの給紙には、重ね合わせパスＴ１２とバイパスＴ１１との搬送所要時間の差に対応する待ち時間ｔ１を要する。このため、画像形成システム２において、サンプル出力紙ＳＰの先行紙の給紙の待ち時間ｔ１の分、生産性が低下していた。
【００２４】
本発明の課題は、通常の用紙の重ね合わせの途中に、重ね合わせ不可能な用紙が挿入された場合の生産性の低下を抑止することである。
【課題を解決するための手段】
【００２５】
上記課題を解決するため、請求項１に記載の発明の用紙重ね合わせ装置は、
用紙に画像を形成する画像形成装置から排出された用紙を搬送して所定枚数重ね合わせて、用紙に後処理を施す後処理装置に排出する重ね合わせ搬送部と、
前記画像形成装置から排出された用紙を、前記重ね合わせ搬送部の搬送経路を通らず且つ当該重ね合わせ搬送部の搬送経路よりも搬送所要時間が短いバイパスで搬送して、前記後処理装置に排出するバイパス搬送部と、
前記画像形成装置から前記重ね合わせ搬送部で重ね合わせ不可能な用紙が排出され、当該重ね合わせ不可能な用紙の先行用紙が前記重ね合わせ搬送部に滞留されている場合に、当該滞留を維持したまま前記重ね合わせ不可能な用紙を前記バイパス搬送部に搬送させ、前記重ね合わせ搬送部に、前記先行用紙を含む前記所定枚数の用紙を重ね合わせて排出させる第１の制御部と、を備えることを特徴とする。
【００２６】
また、請求項２に記載の発明の用紙重ね合わせ装置は、請求項１に記載の用紙重ね合わせ装置において、
前記重ね合せ不可能な用紙は、連続プリントを行っているジョブとは異なるジョブの出力用紙であることを特徴とする。
【００２７】
また、請求項３に記載の発明の用紙重ね合わせ装置は、請求項１に記載の用紙重ね合わせ装置において、
前記重ね合せ不可能な用紙は、サンプル出力用紙であることを特徴とする。
【００２８】
また、請求項４に記載の発明の用紙重ね合わせ装置は、請求項１に記載の用紙重ね合わせ装置において、
前記重ね合せ不可能な用紙は、連続プリント中に割り込みされた印刷ジョブの出力用紙であることを特徴とする。
【００２９】
請求項５に記載の発明の画像形成システムは、
請求項１から４のいずれか一項に記載の用紙重ね合わせ装置と、
前記画像形成装置と、
前記後処理装置と、を備え、
前記画像形成装置は、
前記重ね合わせ搬送部で重ね合わせ不可能な用紙をプリントする場合に、当該重ね合わせ不可能な用紙の１つ前の先行用紙が前記所定枚数の重ね合わせの最終用紙であるか否かを判定し、前記１つ前の先行用紙が重ね合わせの最終用紙である場合に、当該重ね合わせ不可能な用紙と、当該重ね合わせ不可能な用紙の後続用紙であり且つ前記所定枚数の重ね合わせの最終用紙でない用紙と、のプリント順序を入れ替えて設定する第２の制御部と、を備えることを特徴とする。
【発明の効果】
【００３０】
本発明によれば、通常の用紙の重ね合わせの途中に、重ね合わせ不可能な用紙が挿入された場合の生産性の低下を抑止できる。
【図面の簡単な説明】
【００３１】
【図１】本発明の実施の形態の画像形成システムの構成を示す図である。
【図２】実施の形態の画像形成システムの機能構成を示すブロック図である。
【図３】実施の形態の画像形成装置で実行されるプリント順序変更処理を示すフローチャートである。
【図４】実施の形態の用紙重ね合わせ装置で実行される動作判定処理を示すフローチャートである。
【図５】（ａ）は、実施の形態の画像形成システムの第１の用紙搬送状態を示す図である。（ｂ）は、実施の形態の画像形成システムの第２の用紙搬送状態を示す図である。
【図６】（ａ）は、実施の形態の画像形成システムの第３の用紙搬送状態を示す図である。（ｂ）は、実施の形態の画像形成システムの第４の用紙搬送状態を示す図である。
【図７】（ａ）は、実施の形態の画像形成システムの第５の用紙搬送状態を示す図である。（ｂ）は、実施の形態の画像形成システムの第６の用紙搬送状態を示す図である。
【図８】（ａ）は、実施の形態の画像形成システムの第７の用紙搬送状態を示す図である。（ｂ）は、実施の形態の画像形成システムの第８の用紙搬送状態を示す図である。
【図９】実施の形態の画像形成装置、用紙重ね合わせ装置及び後処理装置の用紙排出例を示す図である。
【図１０】（ａ）は、従来の画像形成システムの第１の用紙搬送状態を示す図である。（ｂ）は、従来の画像形成システムの第２の用紙搬送状態を示す図である。
【図１１】（ａ）は、従来の画像形成システムの第３の用紙搬送状態を示す図である。（ｂ）は、従来の画像形成システムの第４の用紙搬送状態を示す図である。
【図１２】（ａ）は、従来の画像形成システムの第５の用紙搬送状態を示す図である。（ｂ）は、従来の画像形成システムの第６の用紙搬送状態を示す図である。
【図１３】（ａ）は、従来の画像形成システムの第７の用紙搬送状態を示す図である。（ｂ）は、従来の画像形成システムの第８の用紙搬送状態を示す図である。
【図１４】従来の画像形成装置、用紙重ね合わせ装置及び後処理装置の用紙排出例を示す図である。
【発明を実施するための形態】
【００３２】
添付図面を参照して本発明に係る実施の形態を詳細に説明する。なお、本発明は、図示例に限定されるものではない。
【００３３】
先ず、図１及び図２を参照して、本実施の形態の装置構成を説明する。図１は、本実施の形態の画像形成システム１の構成を示す図である。図２は、画像形成システム１の機能構成を示すブロック図である。
【００３４】
図１に示すように、本実施の形態の画像形成システム１は、用紙に画像形成する画像形成装置１０と、画像形成装置１０で画像形成された用紙を重ね合わせる用紙重ね合わせ装置２０と、用紙重ね合わせ装置２０で重ね合わされた用紙に後処理を施して排出する後処理装置３０と、を備える。
【００３５】
画像形成装置１０は、電子写真方式により用紙に画像を形成する装置であり、給紙トレイＴＲ１と、操作表示部１３と、画像形成部１７Ａと、定着部１７Ｂと、を備える。
【００３６】
給紙トレイＴＲ１は、用紙を収納する複数のトレイを有する。複数のトレイのそれぞれには、用紙のサイズ、種類等に応じて、異なる用紙が格納されている。給紙トレイＴＲ１から１枚ずつ給紙された用紙は、画像形成装置１０の搬送経路Ｔ３に給紙される。搬送経路Ｔ３は、搬送ローラー（図示略）等により構成される。搬送経路Ｔ３は、給紙トレイＴＲ１から給紙された用紙を画像形成部１７Ａ及び定着部１７Ｂを介して画像形成装置１０から排紙する片面画像形成用の搬送経路と、定着部１７Ｂから排出された用紙を反転して再度画像形成部１７Ａに搬送する反転経路と、を有する。操作表示部１３は、ユーザーからの操作入力を受け付けて操作情報を得るとともに、各種表示情報を表示する。
【００３７】
画像形成部１７Ａは、ドラム状の感光体の周囲に、帯電部、露光部、現像部、転写部、分離部及びクリーニング部（いずれも図示略）が配置された電子写真プロセスの各部を有する。画像形成部１７Ａは、これらの電子写真プロセスの各部により、感光体に、帯電、露光、現像を行い、感光体上にトナー像を形成して、このトナー像を用紙に転写して画像形成し、感光体上に残ったトナー像を除去する。
【００３８】
定着部１７Ｂは、加熱ローラー、加圧ローラーを有する。定着部１７Ｂは、加熱ローラー及び加圧ローラーにより、画像形成部１７Ａによりトナー像が転写された用紙を加熱及び加圧して、用紙に画像を定着させる。
【００３９】
原稿搬送部１８は、原稿を１枚ずつ後述する画像読取部１９の画像読取位置に搬送する。
【００４０】
用紙重ね合わせ装置２０は、画像形成装置１０から排出された所定枚数の用紙を重ね合わせ、その用紙束を排出する。本実施の形態では、用紙重ね合わせ装置２０が１度に用紙を重ね合わせる重ね合わせ枚数は、２枚に設定されている例を説明する。しかし、この重ね合わせ枚数に限定されるものではなく、３枚以上としてもよい。
【００４１】
用紙重ね合わせ装置２０が、用紙を重ね合わせて排出することにより、用紙重ね合わせ装置５０から排出される用紙又は用紙束の搬送方向の間隔は、画像形成装置１０から排出される用紙の搬送間隔よりも大きい。このため、画像形成システム１において、画像形成装置１０の生産性が高く、後処理装置３０の生産性が低くても、画像形成装置１０の用紙の搬送間隔を大きくすることなく、画像形成を行うことができる。
【００４２】
用紙重ね合わせ装置２０は、搬送ローラー２４ａ，２５ａと、切替ゲート２３ａ，２３ｂと、横整合板２５ｂと、縦整合板２５ｃと、を備える。また、用紙重ね合わせ装置２０は、用紙の搬送路として、バイパスＴ１と、重ね合わせパスＴ２と、を有する。バイパスＴ１は、重ね合わせを行わずに用紙を排出する搬送経路である。重ね合わせパスＴ２は、重ね合わせを行って用紙を排出する搬送経路である。
【００４３】
搬送ローラー２４ａは、バイパスＴ１の搬送ローラーである。搬送ローラー２５ａは、重ね合わせパスＴ２の搬送ローラーである。切替ゲート２３ａは、画像形成装置１０から排出された用紙の搬送経路を、バイパスＴ１側、又は重ね合わせパスＴ２側に切り替えるゲートである。切替ゲート２３ｂは、画像形成装置１０から重ね合わせパスＴ２に搬送された用紙の搬送経路路を、縦整合板２５ｃでの受け取り側、又は縦整合板２５ｃに滞留された用紙の後処理装置３０への排出側と、に切り替えるゲートである。
【００４４】
横整合板２５ｂは、縦整合板２５ｃに滞留された用紙の側縁を軽打して用紙の幅方向の整合を行う。縦整合板２５ｃは、画像形成装置１０から排出され重ね合わせパスＴ２に搬送された用紙を滞留する。縦整合板２５ｃは、昇降可能である。縦整合板２５ｃが下降した状態で、画像形成装置１０から排出され搬送ローラー２５ａから排出された用紙は、自重により下降に転じて滑走し、縦整合板２５ｃに用紙の後端部が当接して停止し、縦整合板２５ｃを上昇することにより滞留される。その用紙が滞留した状態で、縦整合板２５ｃが大きく上昇すると、滞留された用紙は、搬送ローラー２５ａにより搬送されて後処理装置３０へ排出される。
【００４５】
後処理装置３０は、後処理部３４と、排紙トレイとしてのメイントレイＴＲ２、サブトレイＴＲ３と、を備える。また、後処理装置３０は、用紙重ね合わせ装置２０から排出された用紙の搬送路として、バイパスＴ４，Ｔ５と、後処理パスＴ６と、を有する。バイパスＴ４は、後処理を行わずに用紙をメイントレイＴＲ２に排出する搬送経路である。バイパスＴ５は、後処理を行わずに用紙をサブトレイＴＲ３に排出する搬送経路である。後処理パスＴ６は、後処理を行って用紙をメイントレイＴＲ２に排出する搬送経路である。バイパスＴ４，Ｔ５、後処理パスＴ６は、切替部（図示略）により切り替えられる。
【００４６】
後処理部３４は、用紙重ね合わせ装置２０から排出され後処理パスＴ６に搬送された用紙に各種後処理を施す。後処理部３４の後処理は、用紙にパンチ穴をあける穿孔処理、用紙を搬送方向の直角方向にシフトするシフト処理、用紙を集積してステープルで綴じるステープル処理、用紙を中央部等で折り込む折り処理、等である。
【００４７】
次いで、図２を参照して、画像形成装置１０、用紙重ね合わせ装置２０、後処理装置３０の内部の機能構成を説明する。
【００４８】
画像形成装置１０は、制御部１１と、通信部１２と、操作表示部１３と、記憶部１４と、用紙供給部１５と、搬送部１６と、画像形成部１７Ａと、定着部１７Ｂと、原稿搬送部１８と、画像読取部１９と、を備える。
【００４９】
制御部１１は、画像形成装置１０の各部を制御する。制御部１１は、ＣＰＵ（Central Processing Unit）１１Ａと、ＲＡＭ（Random Access Memory）１１Ｂと、ＲＯＭ（Read Only Memory）１１Ｃと、を有している。ＲＯＭ１１Ｃから読み出されてＲＡＭ１１Ｂに展開された各種プログラムとＣＰＵ１１Ａとの協働で、制御部１１は、各種処理を行う。ＲＯＭ１１Ｃには、プリント順序変更プログラムが記憶されている。
【００５０】
通信部１２は、制御部１１により制御され、用紙重ね合わせ装置２０の通信部２２とシリアル通信を行っている。
【００５１】
操作表示部１３は、制御部１１により制御され、操作部１３Ａと、表示部１３Ｂと、を有する。操作部１３Ａは、タッチパネル等で構成され、ユーザーからのタッチ入力を受け付け、例えば後処理の種類（穿孔処理、シフト処理、ステープル処理、折り処理、等）や用紙サイズ、等の操作情報を取得して制御部１１に出力する。表示部１３Ｂは、ＬＣＤ（Liquid Crystal Display）等の表示パネルを有し、制御部１１からの制御により、各種表示情報を表示パネルに表示する。
【００５２】
記憶部１４は、制御部１１により制御され、画像読取部１９から入力された画像情報、又は画像形成装置１０にネットワーク接続されたＰＣ（Personal Computer）等の外部機器（図示略）から投入されたジョブの情報等を記憶する記憶部である。
【００５３】
用紙供給部１５は、制御部１１により制御され、給紙トレイＴＲ１の複数のトレイから１つを選択し、選択したトレイに格納された用紙を１枚ずつ取り出して画像形成部１７Ａへ搬送して供給する。
【００５４】
搬送部１６は、制御部１１により制御され、搬送経路Ｔ３の搬送ローラー（図示略）を有し、搬送ローラーにより用紙を搬送経路Ｔ３上で搬送する。
【００５５】
画像形成部１７Ａは、制御部１１により制御され、例えば、画像読取部１９により入力された原稿画像情報や、外部機器（図示略）から投入されたジョブの画像情報に基づいて用紙に画像を形成する。
【００５６】
定着部１７Ｂは、制御部１１により制御され、画像形成部１７Ａにより用紙上に形成されたトナー画像を加熱圧着することにより定着する。
【００５７】
原稿搬送部１８は、制御部１１により制御され、原稿を画像読取部１９に向けて搬送する。
【００５８】
画像読取部１９は、制御部１１により制御され、原稿搬送部１８により搬送される原稿の画像を読み取り、原稿画像情報を制御部１１に出力する。
【００５９】
用紙重ね合わせ装置２０は、制御部２１と、通信部２２と、搬送経路切替部２３と、バイパス搬送部２４と、重ね合わせ搬送部２５と、を有する。
【００６０】
制御部２１は、用紙重ね合わせ装置２０の各部を制御する。制御部２１は、ＣＰＵ２１Ａと、ＲＡＭ２１Ｂと、ＲＯＭ２１Ｃと、を有している。ＲＯＭ２１Ｃから読み出されてＲＡＭ２１Ｂに展開された各種プログラムとＣＰＵ２１Ａとの協働で、制御部２１は、各種処理を行う。ＲＯＭ２１Ｃには、動作判定プログラムが記憶されている。
【００６１】
通信部２２は、制御部２１により制御され、画像形成装置１０の通信部１２及び後処理装置３０の通信部３２とシリアル通信を行っている。
【００６２】
搬送経路切替部２３は、制御部２１により制御され、切替ゲート２３ａ，２３ｂを有し、切替ゲート２３ａ，２３ｂをソレノイド（図示略）の駆動により切り替える。
【００６３】
バイパス搬送部２４は、制御部２１により制御され、搬送ローラー２４ａを有し、搬送ローラー２４ａにより用紙をバイパスＴ１上で搬送する。
【００６４】
重ね合わせ搬送部２５は、制御部２１により制御され、横整合板２５ｂ、縦整合板５５ｃ及び搬送ローラー２５ａを有し、横整合板２５ｂ、縦整合板５５ｃ及び搬送ローラー２５ａにより用紙を重ね合わせて後処理装置３０に排出する。重ね合わせ搬送部２５の搬送経路が、重ね合わせパスＴ２である。
【００６５】
後処理装置３０は、制御部３１と、通信部３２と、切替搬送部３３と、後処理部３４と、メイントレイ排紙部３５と、サブトレイ排紙部３６と、を有する。
【００６６】
制御部３１は、後処理装置３０の各部を制御する。制御部３１は、ＣＰＵ３１Ａと、ＲＡＭ３１Ｂと、ＲＯＭ３１Ｃと、を有している。ＲＯＭ３１Ｃから読み出されてＲＡＭ３１Ｂに展開された各種プログラムとＣＰＵ３１Ａとの協働で、制御部３１は、各種処理を行う。
【００６７】
通信部３２は、制御部３１により制御され、用紙重ね合わせ装置２０の通信部２２とシリアル通信を行っている。
【００６８】
切替搬送部３３は、制御部３１により制御され、用紙の搬送経路を切り替える切替部（図示略）、バイパスＴ４，Ｔ５及び後処理パスＴ６の搬送ローラー（図示略）を有し、切替部により搬送経路をバイパスＴ４，Ｔ５又は後処理パスＴ６に切り替え、用紙重ね合わせ装置２０から排出された用紙を切り替えた搬送経路上で搬送する。
【００６９】
後処理部３４は、制御部３１により制御され、後処理パスＴ６を搬送された用紙に各種後処理を施す。
【００７０】
メイントレイ排紙部３５は、制御部３１により制御され、後処理部３４から排出された用紙、又はバイパスＴ４を搬送された用紙をメイントレイＴＲ２に排出（排紙）する。サブトレイ排紙部３６は、制御部３１により制御され、バイパスＴ５を搬送された用紙をサブトレイＴＲ３に排出（排紙）する。
【００７１】
次に、図３及び図４を参照して、画像形成システム１の動作を説明する。図３は、画像形成装置１０で実行されるプリント順序変更処理を示すフローチャートである。図４は、用紙重ね合わせ装置２０で実行される動作判定処理を示すフローチャートである。
【００７２】
図３を参照して、画像形成装置１０で実行されるプリント順序変更処理を説明する。プリント順序変更処理は、サンプル出力紙等の重ね合わせ不可能な用紙のプリント順序を、画像形成システム１の生産性が高くなるプリント順序に変更する処理である。
【００７３】
画像形成装置１０において、例えば、画像読取部１９を用いた複写の画像形成ジョブ、又は外部機器から画像形成ジョブ、が投入された後、次に給紙トレイＴＲ１から供給する１枚の用紙があることをトリガとして、ＲＯＭ１１Ｃから読み出されて適宜ＲＡＭ１１Ｂに展開したプリント順序変更プログラムとＣＰＵ１１Ａとの協働により、制御部１１がプリント順序変更処理を実行する。
【００７４】
先ず、制御部１１は、次にプリントする用紙が用紙重ね合わせ装置２０で重ね合わせ可能な用紙であるか否かを判定する（ステップＳ１１）。次にプリントする用紙とは、画像形成装置１０に投入された画像形成ジョブの用紙、サンプル出力紙のように画像形成ジョブとは別に所定枚数の画像形成毎に画像形成される用紙、割り込みのため挿入された画像形成ジョブの用紙等、全てのプリント対象の用紙のうちの次にプリントする用紙である。サンプル出力紙は、例えば、ユーザーの目視用のサンプルパターンや、後処理装置３０に濃度センサが設けられている場合の濃度センサ読み取りによるキャリブレーションとしての濃度調整用のサンプルパターンが画像形成される。用紙重ね合わせ装置２０で重ね合わせ可能な用紙とは、通常の画像形成ジョブに含まれる通常のプリントの用紙である。用紙重ね合わせ装置２０で重ね合わせ不可能な用紙とは、画像形成ジョブに含まれないプリントの用紙であり、例えば、サンプル出力紙や、通常の画像形成ジョブ実行中に割り込むよう挿入された別の画像形成ジョブのプリントの用紙や、連続プリントを行っているジョブとは異なるジョブの出力用紙である。
【００７５】
重ね合わせ不可能な用紙である場合（ステップＳ１１；ＮＯ）、制御部１１は、選択中の用紙の１つ前の先行用紙が重ね合わせ搬送部２５での所定枚数の重ね合わせの最終用紙であるか否かを判定する（ステップＳ１２）。重ね合わせ搬送部２５での重ね合わせの最終用紙とは、重ね合わせ搬送部２５で所定枚数毎に重ね合わせする場合の所定枚数目の最終用紙である。この所定枚数が２枚である場合に、所定枚数目の最終用紙とは、２枚重ねの２枚目となる。
【００７６】
重ね合わせの最終用紙である場合（ステップＳ１２；ＹＥＳ）、制御部１１は、選択中の重ね合わせ不可能な用紙と１つ後の重ね合わせの最終用紙でない後続用紙とのプリント順序を入れ替えて変更設定し（ステップＳ１３）、プリント順序変更処理を終了する。重ね合わせ可能である用紙である場合（ステップＳ１１；ＹＥＳ）、又は重ね合わせの最終用紙でない場合（ステップＳ１２；ＮＯ）、プリント順序変更処理が終了する。
【００７７】
プリント順序変更処理の実行後、画像形成装置１０において、制御部１１は、投入された画像形成ジョブの情報と、プリント順序変更処理で設定されたプリント順序と、に基づいて、用紙供給部１５、搬送部１６、画像形成部１７Ａ、定着部１７Ｂを制御して、給紙トレイＴＲ１から用紙を１枚ずつ供給して搬送し、画像形成及び定着を行い用紙重ね合わせ装置２０に排出していく。また、制御部１１は、通信部１２を介して、画像形成ジョブの用紙に関する情報を用紙重ね合わせ装置２０に送信し、後処理に関する情報を後処理装置に送信する。この画像形成ジョブの用紙に関する情報とは、用紙が重ね合わせ可能か否かの情報、用紙のプリント順序等である。
【００７８】
図４を参照して、用紙重ね合わせ装置２０で実行される動作判定処理を説明する。動作判定処理は、画像形成装置１０から排出され用紙重ね合わせ装置２０に送り込まれた用紙の重ね合わせに関する動作を判定して実行する処理である。
【００７９】
用紙重ね合わせ装置２０において、例えば、画像形成装置１０から用紙が排出された１枚の用紙が用紙重ね合わせ装置２０に送り込まれたことをトリガとして、ＲＯＭ２１Ｃから読み出されて適宜ＲＡＭ２１Ｂに展開した動作判定プログラムとＣＰＵ２１Ａとの協働により、制御部２１が動作判定処理を実行する。
【００８０】
先ず、制御部２１は、画像形成装置１０から受信した用紙に関する情報を参照して、送り込まれた用紙が重ね合わせ可能な用紙であるか否かを判定する（ステップＳ２１）。重ね合わせ可能な用紙である場合（ステップＳ２１；ＹＥＳ）、制御部２１は、送り込まれた用紙が重ね合わせ搬送部２５での所定枚数の重ね合わせの最終用紙であるか否かを判定する（ステップＳ２２）。重ね合わせの最終用紙でない場合（ステップＳ２２；ＮＯ）、制御部２１は、画像形成装置１０から受信した情報を参照して、ジャム発生や、操作部１３Ａへのジョブキャンセル入力等により現在実行中の画像形成ジョブの中断が発生したか否かを判定する（ステップＳ２３）。
【００８１】
現在実行中の画像形成ジョブの中断が発生していない場合（ステップＳ２３；ＮＯ）、制御部２１は、搬送経路切替部２３により切替ゲート２３ａ，２３ｂを切り替えて、送り込まれた用紙を、重ね合わせパスＴ２に受け入れた後、重ね合わせ搬送部２５の縦整合板２５ｃ等を制御して滞留させ（ステップＳ２４）、動作判定処理を終了する。ステップＳ２４では、２枚まで用紙が重ね合わせられて滞留される。
【００８２】
重ね合わせの最終用紙である場合（ステップＳ２２；ＹＥＳ）、又は現在実行中の画像形成ジョブの中断が発生した場合（ステップＳ２３；ＹＥＳ）、制御部２１は、搬送経路切替部２３により切替ゲート２３ａ，２３ｂを切り替えて、送り込まれた用紙を、重ね合わせパスＴ２に受け入れた後、重ね合わせ搬送部２５の縦整合板２５ｃ等を制御して後処理装置３０へ排出させ（ステップＳ２５）、動作判定処理を終了する。ステップＳ２５では、複数の用紙が滞留されている場合に、当該複数の用紙が重ね合わされたまま排出される。
【００８３】
重ね合わせ不可能な用紙である場合（ステップＳ２１；ＮＯ）、制御部２１は、搬送経路切替部２３により切替ゲート２３ａを切り替えて、送り込まれた用紙を、バイパスＴ１に受け入れて後処理装置３０へ排出させ（ステップＳ２６）、動作判定処理を終了する。
【００８４】
動作判定処理で用紙重ね合わせ装置２０から順次排出された用紙は、後処理装置３０により、後処理が施されて又は施されずにメイントレイＴＲ２又はサブトレイＴＲ３に排出される。
【００８５】
次いで、図５（ａ）〜図９を参照して、画像形成システム１におけるプリント順序変更処理及び動作判定処理に対応する動作シーケンスの具体例を説明する。図５（ａ）は、画像形成システム１の第１の用紙搬送状態を示す図である。図５（ｂ）は、画像形成システム１の第２の用紙搬送状態を示す図である。図６（ａ）は、画像形成システム１の第３の用紙搬送状態を示す図である。図６（ｂ）は、画像形成システム１の第４の用紙搬送状態を示す図である。図７（ａ）は、画像形成システム１の第５の用紙搬送状態を示す図である。図７（ｂ）は、画像形成システム１の第６の用紙搬送状態を示す図である。図８（ａ）は、画像形成システム１の第７の用紙搬送状態を示す図である。図８（ｂ）は、画像形成システム１の第８の用紙搬送状態を示す図である。図９は、画像形成装置１０、用紙重ね合わせ装置２０及び後処理装置３０の用紙排出例を示す図である。
【００８６】
先ず、画像形成システム１において、用紙重ね合わせ装置２０の重ね合わせ枚数は、２枚に設定されているものとする。また、重ね合わせ可能である用紙６枚を片面画像形成する通常の画像形成ジョブが画像形成装置１０に投入されたケースを説明する。この用紙６枚を、給紙順に、用紙Ｐ１，Ｐ２，Ｐ３，Ｐ４，Ｐ５，Ｐ６とする。
【００８７】
この画像形成ジョブにおいて、２枚目の用紙Ｐ２と、３枚目の用紙Ｐ３と、の間に、重ね合わせ不可能な用紙としてのサンプル出力紙ＳＰが挿入されるものとする。この画像形成ジョブの実行において、画像形成装置１０でプリント順序変更処理が実行される。すると、プリント順序として、サンプル出力紙ＳＰと、３枚目の用紙Ｐ３と、のプリント順序が入れ替えられて変更される。このため、プリント順序変更処理により、用紙Ｐ１，Ｐ２，Ｐ３、サンプル出力紙ＳＰ、用紙Ｐ４，Ｐ５，Ｐ６のプリント順序に設定される。
【００８８】
そして、画像形成装置１０における画像形成の処理と、用紙重ね合わせ装置２０における動作判定処理と、後処理装置３０における後処理、排紙の処理と、が実行される。また、この画像形成ジョブでは、用紙Ｐ１，Ｐ２，Ｐ３，Ｐ４，Ｐ５，Ｐ６及びサンプル出力紙ＳＰは、後処理が施されず、最終的にメイントレイＴＲ２に排出されるものとする。また、図５（ａ）〜図９において、奇数枚目の用紙を実線で表し、偶数枚目の用紙を破線で表し、サンプル出力紙を一点鎖線で表す。
【００８９】
図５（ａ）に示すように、画像形成装置１０において、画像形成ジョブが投入され（プリント順序変更処理が実行され）ると、用紙重ね合わせ装置２０において、切替ゲート２３ａが重ね合わせパスＴ２側に切り替えられ、切替ゲート２３ｂが受け取り側に切り替えられ、縦整合板２５ｃが、用紙の待機位置に移動される。
【００９０】
画像形成装置１０において、設定されたプリント順序に応じて、給紙トレイＴＲ１から用紙が順に給紙され、給紙された用紙Ｐ１，Ｐ２，Ｐ３…は、順に搬送経路Ｔ３を搬送されるとともに、画像形成部１７Ａ及び定着部１７Ｂにより画像形成される。このとき、サンプル出力紙ＳＰの給紙タイミングは、他の用紙の給紙タイミングと同じにされる。つまり、用紙Ｐ３とサンプル出力紙ＳＰとの搬送間隔は、用紙Ｐ１，Ｐ２の搬送間隔と同じにされている。
【００９１】
画像形成装置１０から排出された用紙Ｐ１…は、用紙重ね合わせ装置２０に排出される。用紙重ね合わせ装置２０において、画像形成装置１０から排出された用紙Ｐ１は、切替ゲート２３ａにより、重ね合わせパスＴ２の受け取り側の搬送経路に搬送される。
【００９２】
そして、図５（ｂ）に示すように、用紙重ね合わせ装置２０において、縦整合板２５ｃが、用紙Ｐ１を完全に引き込んだら、切替ゲート２３ｂが排出側に切り替えられ、縦整合板２５ｃが上昇される。このため、用紙Ｐ１は、その先端が排出側の搬送経路に挿入された状態で滞留される。
【００９３】
そして、図６（ａ）に示すように、用紙重ね合わせ装置２０において、切替ゲート２３ｂが受け取り側に切り替えられ、縦整合板２５ｃは、用紙Ｐ２を引き込むと同時に下降される。
【００９４】
そして、図６（ｂ）に示すように、用紙重ね合わせ装置２０において、縦整合板２５ｃが、用紙Ｐ２を完全に引き込んだら、切替ゲート２３ｂが排出側に切り替えられ、縦整合板２５ｃが、大きく上昇される。このため、用紙Ｐ１，Ｐ２は、重ね合わされた状態にされ、重ね合わせパスＴ２の排出側の搬送経路に排出される。用紙Ｐ１，Ｐ２…は、用紙重ね合わせ装置２０から後処理装置３０に排出される。
【００９５】
そして、図７（ａ）に示すように、後処理装置３０において、用紙重ね合わせ装置２０から排出された用紙Ｐ１，Ｐ２は、メイントレイＴＲ２へのバイパスＴ４に搬送される。用紙重ね合わせ装置２０において、切替ゲート２３ｂが受け取り側に切り替えられ、縦整合板２５ｃが、用紙の待機位置に下降される。縦整合板２５ｃが用紙Ｐ３を完全に引き込んだら、切替ゲート２３ｂが排出側に切り替えられ、縦整合板２５ｃが上昇される。このため、用紙Ｐ３は、その先端が排出側の搬送経路に挿入された状態で滞留される。また、切替ゲート２３ａがバイパスＴ１側に切り替えられる。
【００９６】
そして、図７（ｂ）に示すように、用紙重ね合わせ装置２０において、用紙Ｐ３の滞留を維持したまま、サンプル出力紙ＳＰがバイパスＴ１を搬送され、切替ゲート２３ａが重ね合わせパスＴ２側に切り替えられる。また、後処理装置３０において、バイパスＴ４を搬送される用紙Ｐ１，Ｐ２…は、メイントレイＴＲ２へ排出される。
【００９７】
そして、図８（ａ）に示すように、用紙重ね合わせ装置２０において、切替ゲート２３ｂの切り替え並びに縦整合板２５ｃの下降及び上昇により、用紙Ｐ１，Ｐ２と同様にして、用紙Ｐ３に用紙Ｐ４が重ね合わされて後処理装置３０に排出される。
【００９８】
そして、図８（ｂ）に示すように、用紙重ね合わせ装置２０において、切替ゲート５３ｂの切り替え並びに縦整合板５５ｃの下降及び上昇により、用紙Ｐ１，Ｐ２と同様にして、用紙Ｐ５，Ｐ６が重ね合わされて後処理装置３０に排出される。最終的に、後処理装置３０から排出されたプリント物としての用紙Ｐ１，Ｐ２，サンプル出力紙ＳＰ、用紙Ｐ３、Ｐ４，Ｐ５，Ｐ６は、この順に、メイントレイＴＲ２に排出されて積載される。
【００９９】
図９では、画像形成装置１０の排出と、用紙重ね合わせ装置２０の搬送と、後処理装置３０への排出と、の用紙及びサンプル出力紙の状態が表されており、図上で左から右に時系列に並べられている。図９に示すように、サンプル出力紙ＳＰのプリント順序が、用紙Ｐ３と入れ替えられたため、用紙Ｐ３を滞留している間に、サンプル出力紙ＳＰをバイパスＴ１に搬送することができる。さらに、重ね合わせパスＴ２とバイパスＴ１とでは、バイパスＴ１の搬送所要時間が短いので、サンプル出力紙ＳＰの給紙には、図１４で説明した従来の画像形成システム２における待ち時間ｔ１を要しない。このため、画像形成システム２に比べて、画像形成システム１の用紙Ｐ１給紙から用紙Ｐ６の排紙まで待ち時間ｔ１の分だけ所要時間が短く、生産性が高い。
【０１００】
以上、本実施の形態によれば、用紙重ね合わせ装置２０は、画像形成装置１０からサンプル出力紙ＳＰ等の重ね合わせ不可能な用紙が排出され、当該重ね合わせ不可能な用紙の先行用紙が重ね合わせ搬送部２５に滞留されている場合に、当該滞留を維持したまま重ね合わせ不可能な用紙をバイパス搬送部２４に搬送させ、重ね合わせ搬送部２５に、前記先行用紙を含む所定枚数の用紙を重ね合わせて後処理装置３０に排出させる。このため、重ね合わせが可能な通常の用紙の重ね合わせの途中に、重ね合わせ不可能な用紙が挿入された場合の重ね合わせ不可能な用紙の待ち時間をなくすことができ、生産性の低下を抑止できる。
【０１０１】
また、重ね合せ不可能な用紙を、連続プリントを行っているジョブとは異なるジョブの出力用紙とすることができる。また、重ね合せ不可能な用紙を、サンプル出力用紙とすることができる。また、重ね合せ不可能な用紙を、連続プリント中に割り込みされた印刷ジョブの出力用紙とすることができる。
【０１０２】
また、画像形成システム１において、画像形成装置１０は、重ね合わせ不可能な用紙をプリントする場合に、当該重ね合わせ不可能な用紙の１つ前の先行用紙が所定枚数（２枚）の重ね合わせの最終用紙であるか否かを判定し、１つ前の先行用紙が重ね合わせの最終用紙である場合に、重ね合わせ不可能な用紙と、重ね合わせ不可能な用紙の後続用紙であり且つ所定枚数の重ね合わせの最終用紙でない１つ後の後続用紙と、のプリント順序を入れ替えて設定する。このため、重ね合わせの最終用紙の直後に重ね合わせ不可能な用紙が挿入された場合の重ね合わせ不可能な用紙の待ち時間をなくすことができ、生産性の低下をさらに抑止できる。
【０１０３】
なお、上記実施の形態における記述は、本発明に係る好適な画像形成システムの一例であり、これに限定されるものではない。
【０１０４】
また、以上の実施の形態における画像形成システムを構成する各部の細部構成及び細部動作に関して本発明の趣旨を逸脱することのない範囲で適宜変更可能である。
【符号の説明】
【０１０５】
１，２  画像形成システム
１０，４０  画像形成装置
１１  制御部
１１Ａ  ＣＰＵ
１１Ｂ  ＲＡＭ
１１Ｃ  ＲＯＭ
１２  通信部
１３  操作表示部
１３Ａ  操作部
１３Ｂ  表示部
１４  記憶部
１５  用紙供給部
１６  搬送部
１７Ａ  画像形成部
１７Ｂ  定着部
１８  原稿搬送部
１９  画像読取部
２０，５０  用紙重ね合わせ装置
２１  制御部
２１Ａ  ＣＰＵ
２１Ｂ  ＲＡＭ
２１Ｃ  ＲＯＭ
２２  通信部
２３  搬送経路切替部
２３ａ，２３ｂ，５３ａ，５３ｂ  切替ゲート
２４  バイパス搬送部
２４ａ  搬送ローラー
２５  重ね合わせ搬送部
２５ａ  搬送ローラー
２５ｂ  横整合板
２５ｃ，５５ｃ  縦整合板
３０，６０  後処理装置
３１  制御部
３１Ａ  ＣＰＵ
３１Ｂ  ＲＡＭ
３１Ｃ  ＲＯＭ
３２  通信部
３３  切替搬送部
３４  後処理部
３５  メイントレイ排紙部
３６  サブトレイ排紙部
ＴＲ１，ＴＲ４  給紙トレイ
ＴＲ２，ＴＲ５  メイントレイ
ＴＲ３，ＴＲ６  サブトレイ
【図１】
2013151344.tif 000003
【図２】
2013151344.tif 000004
【図３】
2013151344.tif 000005
【図４】
2013151344.tif 000006
【図５】
2013151344.tif 000007
【図６】
2013151344.tif 000008
【図７】
2013151344.tif 000009
【図８】
2013151344.tif 000010
【図９】
2013151344.tif 000011
【図１０】
2013151344.tif 000012
【図１１】
2013151344.tif 000013
【図１２】
2013151344.tif 000014
【図１３】
2013151344.tif 000015
【図１４】
2013151344.tif 000016